(57)【要約】      （修正有）【課題】発光ロープを簡便に収納及び保管が可能であり、簡易且つ堅牢で品質を損なわず、給電が容易且つ防水性に優れた発光ロープ巻取機を提供する。【解決手段】ロープ状に構成され発光体を内蔵した発光ロープ４を巻き取り収納する収納機１であり、ドラム７と、ドラム７を貫通し固定されている回転軸と、回転軸を受ける台座９と、を備え、回転軸の端部には、外部から電源を供給するための電源ケーブルの端部に構成されたコネクタを接合するコネクタ１０を設け、発光ロープ４の基端部はコネクタ１０に電気的に接合され、回転軸の端部にハンドル５が設けられ、ハンドル５を回転させることによりドラム７に発光ロープ４を巻き取り収納する。【選択図】図１
0003196891.tif 000002
【実用新案登録請求の範囲】
【請求項１】
長尺の発光体を綱で被覆した発光ロープを巻き取り収納するものであり、ハンドルと回転軸とを備えるドラムと、前記回転軸を受ける軸受と、軸受が固定される台座と、前記軸受又は台座に設けられ前記発光ロープと電気的に接続するコネクタと、を備え、前記ハンドルを回転させることにより前記ドラムに前記発光ロープを巻き取り収納し、発光ロープを引き出すことにより展開し、前記発光ロープは複数個のＬＥＤを軸方向に間隔をあけて配置し、配線で電気的に接続し、これらをプラスチックで被覆し、長尺の円柱形に成形し、その外周を組紐、三つ打、又は、八つ打で製綱した発光ロープ収納機。
【請求項２】
前記発光ロープの色相は、黄色、白色、青色、緑色、赤色、オレンジ色、ゴールド色、又は黒色のうちから選択される請求項１の発光ロープ収納機。
【請求項３】
電源の電源ケーブルに発光体に供給される電流を制御するコントローラを設け、前記コントローラは前記発光ロープの点滅の種類を複数選択できるように構成されている請求項１又は２の発光ロープ収納機。
【請求項４】
前記ドラムの開口から発光ロープの配線部が引き出され、発光ロープのＬＥＤ部が延び出している請求項１ないし３いずれかの発光ロープ収納機。
【請求項５】
前記コネクタが前記軸受に固定され、前記コネクタの背面側端部が発光ロープの配線部と接続された請求項１ないし４いずれかの発光ロープ収納機。
【考案の詳細な説明】
【技術分野】
【０００１】
発光体を内蔵した発光ロープを巻き取り収納し、発光ロープに電力供給可能とする発光ロープ巻取機に関するものである。
【背景技術】
【０００２】
コードの巻取を目的とした巻取機に対する公知技術は数多く存在し、通常延長コードと呼ばれている製品が存在する。例えば、実開平６−８０７６８号公報のように、巻取機内部に通電接触ブラシを設け、巻取機軸部にケーブルを内蔵させ給電し、接触子を介し巻取機に巻かれたケーブルから電力を供給する方法がある。また、特開平１０−６９９３５号公報のように、巻取機にコードを巻き、該電力線の端部に構成されたプラグを建物等に設置されたコンセントに差し込み電力を受け、接触子によって巻取機本体に設けられたコンセントに給電し電力を供給する仕組みが知られている。また、登録実用新案公報第３０１００６５号のように、コードを巻き取った収納部の中心にコネクタを設けＡＣアダプターから給電する技術が知られている。
【先行技術文献】
【特許文献】
【０００３】
【特許文献１】実開平６−８０７６８号公報
【特許文献２】特開平１０−６９９３５号公報
【特許文献３】登録実用新案公報第３０１００６５号
【考案の概要】
【考案が解決しようとする課題】
【０００４】
しかしながら、実開平６−８０７６８号公報のように巻取機軸部にケーブルを内蔵させることにより、移動時や保管時にケーブルをさらに固定する等の手段が必要となったり、場合によっては、ケーブルが巻取機に絡むことにより作業性を著しく悪化させ、また、ケーブルの損傷が発生するおそれがある。
【０００５】
実開平６−８０７６８号公報や特開平１０−６９９３５号公報のように、接触子を内蔵し継電しようとする場合、特に、防水に対し厳しい工夫が必要であり高コストとなり、また、接触子の腐食による接点抵抗の上昇を防止するなど特別な処置が必要である。
【０００６】
登録実用新案公報第３０１００６５号のような方法によると、係止具や回転を防止するためのロック機能を構成するため非常に高コストとなり価格面での利益性が著しく低下する。
【０００７】
本考案の対象である発光ロープは、ロープとしての特性、すなわち、ロープの本質として、ねじりによるひねり応力や綱組みによる伸縮応力を備え、また、ロープが長尺になるにつれて自重と応力との不釣り合いが発生するため、簡易且つ堅牢で、製品の品質を損なわない設備が必要である。また、発光ロープのローラーへの巻きつきを防止し、発光を制御するコントローラの交換を容易にする要請がある。
【課題を解決するための手段】
【０００８】
本考案の発光ロープ収納機１は、長尺の発光体２を綱３で被覆した発光ロープ４を巻き取り収納するものであり、ハンドル５と回転軸６とを備えるドラム７と、回転軸６を受ける軸受８と、軸受８が固定される台座９と、軸受８又は台座９に設けられ発光ロープ４と電気的に接続するコネクタ１０と、を備え、ハンドル５を回転させることによりドラム７に発光ロープ４を巻き取り収納し、発光ロープ４を引き出すことにより展開するものである。
【０００９】
発光ロープ４は、複数個のＬＥＤを軸方向に間隔をあけて配置し、配線で電気的に接続し、これらをプラスチックで被覆し、長尺の円柱形に成形し、その外周を組紐、三つ打、又は、八つ打で製綱したことが好ましい。
【００１０】
発光ロープ４の色相は、黄色、白色、青色、緑色、赤色、オレンジ色、ゴールド色、又は黒色のうちから選択されることが好ましい。
【００１１】
電源１１の電源ケーブル１２に発光体２に供給される電流を制御するコントローラ１３を設け、コントローラ１３は発光ロープ４の点滅の種類を複数選択できるように構成されていることが好ましい。
【００１２】
ドラム７の開口から発光ロープ４の配線部が引き出され、発光ロープ４のＬＥＤ部が延び出していることが好ましい。
【００１３】
コネクタ１０が軸受８に固定され、コネクタ１０の背面側端部が発光ロープ４の配線部と接続されることが好ましい。
【００１４】
コネクタ１０が接続口を保護する脱着自在なキャップ１８を備え、該キャップ１８が鎖１９で連結され、防水性を確保することが好ましい。
【００１５】
電源１１の電源ケーブル１２に発光体４に供給される電流を制御するコントローラ１３を設けることが好ましい。
【００１６】
電源１１が携帯式の保護ケース１４を備える充電式蓄電池であり、電源ケーブル１２と電気的に接続する接続口１５と、電源をオンオフするスイッチ１６とを備えることが好ましい。
【００１７】
コネクタ１０が接続口１７を保護する脱着自在なキャップ１８を備えることが好ましい。コネクタ１０とキャップ１８を連結する鎖１９を備えることが好ましい。
【考案の効果】
【００１８】
本考案により、発光ロープ４を安定して保管が可能になり、使用時にねじれず、絡まず、また、収納時に巻き取ることにより簡便に作業が可能となり、また、電源供給が非常に容易になり、特に水際での使用に際し防水機能を完全に確保できたことにより、安全性を高め、すこぶる低コストである点において、発光体の外周を製綱した発光ロープ４を収納する発光ロープ収納機として効果を発揮する。
【００１９】
発光ロープ４は、太さや長さ、弾力等多種多品目にわたっているにもかかわらず、それらを容易に収納可能な汎用性を実現し、収容性や作業性の向上のみならず、コスト低減に大きな効果を発揮している。
【００２０】
また、電源ケーブル１２のドラム７への巻きつきを防止し、発光ロープ４の損傷を防止することができる。
【００２１】
コントローラ１３の故障時等、発光を制御するコントローラ１３の交換を容易にすることができる。
【図面の簡単な説明】
【００２２】
【図１】発光ロープ収納機1の正面図である。
【図２】発光ロープ収納機１の背面図である。
【図３】発光ロープ収納機１の平面図である。
【図４】発光ロープ収納機１の右側面図である。
【図５】発光ロープ収納機１の左側面図である。
【図６】発光ロープ４が巻き取られた状態で電源に接続されていない状態の斜視図である。
【図７】発光ロープ収納機1に電源が接続された状態の斜視図である。
【図８】発光ロープ４が点灯した状態の斜視図である。
【図９】コネクタ１０の斜視図である。
【図１０】コネクタ１０が軸受８に固定された状態の斜視図である。
【図１１】発光ロープ４の断面図である。
【考案を実施するための形態】
【００２３】
本考案の実施形態の発光ロープ収納機１は、図１〜図８に示す通り、長尺の発光体２を綱３で被覆した発光ロープ４を巻き取り収納するものであり、ハンドル５と回転軸６とを備えるドラム７と、回転軸６を受ける軸受８と、軸受８が固定される台座９と、軸受８又は台座９に設けられ発光ロープ４と電気的に接続するコネクタ１０と、を備え、ハンドル５を回転させることによりドラム７に発光ロープ４を巻き取り収納し、発光ロープ４を引き出すことにより展開するものである。
【００２４】
電源１１の電源ケーブル１２に発光体４に供給される電流を制御するコントローラ１３を設ける。
【００２５】
電源１１が携帯式の保護ケース１４を備える充電式蓄電池であり、電源ケーブル１２と電気的に接続する接続口１５と、電源をオンオフするスイッチ１６とを備える。
【００２６】
コネクタ１０が接続口１７（図９参照）を保護する脱着自在なキャップ１８を備えることが好ましい。コネクタ１０とキャップ１８を連結する鎖１９を備える。
【００２７】
以下、本実施形態の発光ロープ収納機１を詳細に説明する。
【００２８】
発光体２は、図１１に示すとおり、複数個のＬＥＤを配線で電気的に接続し、これらをプラスチックで被覆し、長尺の円柱形に成形したものである。ＬＥＤの球数が３６球／ｍ、消費電力が３Ｗ／ｍ、入電流が０．０３Ａ／ｍが例示される。
【００２９】
発光体２の外周を綱３で製綱する態様としては、組紐、三つ打、八つ打等が挙げられる。例示としては、組紐が呼径１４ｍｍ、三つ打が呼径３６ｍｍ、八つ打が呼径２２ｍｍ、が例示される。
【００３０】
綱３はポリエチレン原糸から製造されるが、材料は例示であり、他の種類の材料でもよい。材質は、スーパーハード原糸４００Ｄ/５Ｆが例示される。色相は、黄色、白色、青色、緑色、赤色、オレンジ色、ゴールド色、黒色等が挙げられる。
【００３１】
発光ロープ４の耐水性は、水深３０ｍ、水圧４気圧以下である。強度は５００〜８００Ｋｇが例示されるが、種類によって異なる。分径は、直径が１４ｍ/ｍであり、１ドラムについて３０ｍである。
【００３２】
ドラム７と台座９の素材は、運搬の便宜を考慮し、重量を考慮しアルミニウムで構成したが、鉄等その他の金属であっても良いし、樹枝や木材であってもよい。また、ドラム７の形状は断面が円形であることが望ましいが、多角形であってもよい。ドラム幅は、５３０ｍｍ、ドラム長さは５４０ｍｍ、ドラム高さは４２０ｍｍが例示できる。ドラム７の両側にはロープ規制具である輪体７１が形成されている。図４に示す通り、ドラム７の開口から発光ロープ４の配線部が引き出され、発光ロープ４のＬＥＤ部が延び出している。
【００３３】
軸受８にコネクタ１０を固定し構造を簡素化したが、これに代えて、台座９にコネクタ固定具（図示略）を設け、これにコネクタ１０を設けても良い。
【００３４】
台座９の形状は、安定性が保持できる形状であればよい。台座９には運搬するための取手９１が固定されている。
【００３５】
このコネクタ１０は、電源ケーブル１２の一端部に形成されたコネクタ２０と脱着自在に接続する。このコネクタ２０には、キャップ２１が設けられ鎖２２で連結され、防水性を確保している。図９、図１０に示す通り、コネクタ１０は、軸受８に固定される。コネクタの背面側端部が発光ロープ４の配線部と接続されている。これにより、構造の簡素化と、巻き取り、展開時の発光ロープ４のねじれ等、トラブルを防止している。
【００３６】
コネクタ１０及びコネクタ２０は防水仕様のコネクタで構成したが、使用用途によっては非防水型コネクタでも構わないし、形状も問わず、用途に最適なものを選択すればよい。
【００３７】
電源１１は、入力電圧がＡＣ１００Ｖ、定格周波数が５０又は６０ＨＺの鉛蓄電池である。保護ケース１４はＰＥＬＩＣＡＮ（登録商標）ＣＡＳＥ  １４５０が例示され、専用の充電池（図示略）で充電できるようになっている。バッテリのバックアップ時間は４時間保証であり、バッテリはＬｉＦｅＰ０４が例示される。ＡＣ１００Ｖ用コンセントがある。
【００３８】
図７に示すコントローラ１３は電源ケーブル１２に設けたものである。複数点灯、例えば、８点灯式である。発光ロープ４の点滅の種類を複数（ここでは８種類）選択できるようになっている。コントローラ１３は、ドラム７の外部に設置される。コントローラ１３が故障した場合には、電源ケーブル１２の交換により、簡単に交換できる。コントローラ１３をドラム７内に入れた場合も実施可能ではあるが、これに比べて、図示の構造のものでは、電源ケーブル１２がドラム７に巻きつくことを確実に避けることができる。ＯＮ／ＯＦＦ用のスイッチ１６、接続口１５に挿し込み可能な充電コンセント（図示略）は、いずれも防水式である。
【００３９】
つぎに、発光ロープ収納機１の使用方法を説明する。収納作業時、電源ケーブル１２をコネクタ１０、接続口１５から取り外し、キャップ１８，２１をコネクタ１０，２０に被せ、ドラム７にあるハンドル５を回転させることにより発光ロープ４をドラム７に巻き取る。
【００４０】
保管時や移動時には、コネクタ１０にキャップ１８を被せることにより、コネクタ１０に対する浸水を防止する。
【００４１】
作業時、ドラム７にあるハンドル５を回転させることにより、発光ロープ４を引き出し、発光ロープ４を展開状態とする。キャップ１８，２１を外し、電源ケーブル１２のコネクタ２０をコネクタ１０に接続する。接続口１５に電源ケーブル１２を接続し、スイッチ１６を入れると、発光ロープ４が点灯する。電源接続時にはハンドル５を回転させないようにすることが好ましい。
【００４２】
図７に示す通り、上記に代えて、収納状態で電源接続状態とし、それから発光ロープを展開し、スイッチ１６を入れても良い。また、図８は、参考のため、収納状態での点灯状態を示し、展開状態での点灯状態の図示は省略する。
【００４３】
以上により、発光ロープ４を安定して保管可能になり、使用時にねじれず、絡まず、また、収納時に巻き取ることにより簡便に作業が可能となり、また、電源供給が非常に容易になる。水際での使用に際し防水機能を完全に確保できることにより、安全性を高める。また、すこぶる低コストである点において、発光体４の外周を製綱した発光ロープ４を収納する発光ロープ収納機１として効果を発揮する。
【００４４】
発光ロープ４は、太さや長さ、弾力等多種多品目にわたっているにもかかわらず、それらを容易に収納可能な汎用性を実現し、収容性や作業性の向上のみならず、コスト低減に大きな効果を発揮している。
【００４５】
電源ケーブル１２のドラム７への巻きつきを防止し、発光ロープ４の損傷を防止することができる。
【００４６】
コントローラ１３の故障時等、発光を制御するコントローラ１３の交換を容易にすることができる。
【産業上の利用可能性】
【００４７】
本考案により、漁業関係（養殖場への船舶侵入防止等の水上における警戒表示、漁を行う際の集魚灯、漁場における水中の漁具の目印、潜水・水中作業における目印、水中での誘導灯等）、アミューズメント（地上、水中のイルミネーション装飾等）、保安関係（鉄路や高速道路等の作業工事域における警戒表示、交通誘導具、潜水士の安全確保具）、ディスプレイ関係（店舗装飾や舞台装飾など空間デザインの装飾素材）、救助関係（海難事故等の救助用、災害時の救急道具）、家庭用（イルミネーション装飾キット）など、発光ロープ利用の市場の拡大と利便性の大幅な向上が見込まれる。
【符号の説明】
【００４８】
１…発光ロープ収納機
２…発光体
３…綱
４…発光ロープ
５…ハンドル
６…回転軸
７…ドラム
７１…輪体
８…軸受
９…台座
９１…取手
１０…コネクタ
１１…電源
１２…電源ケーブル
１３…コントローラ
１４…保護ケース
１５…接続口
１６…スイッチ
１７…接続口
１８…キャップ
１９…鎖
２０…コネクタ
２１…キャップ
２２…鎖
【図１】
0003196891.tif 000003
【図２】
0003196891.tif 000004
【図３】
0003196891.tif 000005
【図４】
0003196891.tif 000006
【図５】
0003196891.tif 000007
【図６】
0003196891.tif 000008
【図７】
0003196891.tif 000009
【図８】
0003196891.tif 000010
【図９】
0003196891.tif 000011
【図１０】
0003196891.tif 000012
【図１１】
0003196891.tif 000013